(57)【要約】【課題】ハウジングを備えていなかったとしても一定の強度を確保することのできるコネクタを提供すること。【解決手段】コネクタ１００は、底部１１０の横方向の両端から夫々延びる第１部位１２０及び第２部位１５０とを有している。第１部位１２０と第２部位１５０とはオーバーラップし且つ底部１１０と共にケーブル挿入用の挿入口１０２を形成している。第１部位１２０には第１係合部１４４が設けられ、第２部位１５０には第２係合部１７４が設けられている。第１係合部１４４と第２係合部１７４とは横方向において対向している。このため、例えば、第２部位１５０が横方向（Ｙ方向）において第１部位１２０から離れる方向（−Ｙ方向）へ押されたとしても、第１係合部１４４と第２係合部１７４とが突き当たって第２部位１５０の移動を抑制することができる。【選択図】図４
2014216080.tif 000002
【特許請求の範囲】
【請求項１】
前端に挿入口を有すると共にケーブルの導体部を前記挿入口から前後方向に沿って挿入されるコネクタであって、
前記コネクタは、前記前後方向と直交する横方向において両端を有する底部と、前記底部の前記両端から夫々延びる第１部位及び第２部位とを有しており、
前記第１部位と前記第２部位とはオーバーラップし且つ前記底部と共に前記挿入口を形成しており、
前記第１部位には第１係合部が形成されており、
前記第２部位には第２係合部が形成されており、
前記第１係合部と前記第２係合部とは、前記前後方向と直交する直交方向において対向しており、
前記横方向において前記第１部位と前記第２部位とを離すような力が前記第１部位と前記第２部位の少なくとも一方に加えられた際に、前記第１係合部と前記第２係合部とは、前記直交方向において互いに突き当たるように配置されている
コネクタ。
【請求項２】
請求項１記載のコネクタであって、
前記第１部位と前記第２部位とは、上部においてオーバーラップしており、
前記直交方向は、前記横方向である
コネクタ。
【請求項３】
請求項１又は請求項２記載のコネクタであって、
前記第１部位には、前記ケーブルの前記導体部と接触する接触部が形成されており、
前記第２部位には、前記導体部を前記接触部に対して押し付ける押圧バネ部が形成されている
コネクタ。
【請求項４】
請求項３記載のコネクタであって、
前記接触部又は前記押圧バネには、前記押圧バネ部が前記導体部を前記接触部に対して押し付けた際に前記導体部と押圧接触する角部が設けられている
コネクタ。
【請求項５】
請求項３又は請求項４記載のコネクタであって、
前記第１部位には、弾性変形可能な支持バネ部が形成されており、
前記接触部は、前記支持バネ部に支持されている
コネクタ。
【請求項６】
請求項３乃至請求項５のいずれかに記載のコネクタであって、
挿入された前記ケーブルの前記導体部の位置を前記横方向において規制する位置規制部を更に有しており、
前記接触部及び前記押圧バネ部は、前記前後方向において、前記位置規制部と前記挿入口との間に位置している
コネクタ。
【請求項７】
請求項１乃至請求項６のいずれかに記載のコネクタであって、
前記底部には、下側ガイド部が形成されており、
前記第１部位には、前記横方向において外側に開いた第１ガイド部と、上方に開いた上側ガイド部とが形成されており、
前記第２部位には、前記横方向において外側に開いた第２ガイド部が形成されており、
前記下側ガイド部、前記第１ガイド部、前記上側ガイド部及び前記第２ガイド部は、前記挿入口を構成している
コネクタ。
【請求項８】
請求項７記載のコネクタであって、
前記第１係合部は、前記上側ガイド部の側縁のうち前記第１ガイド部に近い方の側縁で構成されており、
前記第２部位は、部分的に前記第１部位の上方に位置しており、
前記第２部位は、前記上側ガイド部の前記第１ガイド部側に突出した突出部を有しており、
前記第２係合部は、前記突出部の側縁のうち前記第２ガイド部に近い方の側縁で構成されている
コネクタ。
【請求項９】
請求項７又は請求項８記載のコネクタであって、
前記下側ガイド部、前記第１ガイド部、前記上側ガイド部及び前記第２ガイド部は、前記前後方向において同位置に位置している
コネクタ。
【請求項１０】
請求項１乃至請求項９のいずれかに記載のコネクタであって、
前記第２部位には、前記前後方向及び前記横方向で規定される面と平行な平面からなる吸着面が設けられている
コネクタ。
【請求項１１】
ＬＥＤ（light-emitting diode）素子と、前記ＬＥＤ素子を搭載した基板と、前記基板に接続固定された請求項１乃至請求項１０のいずれかに記載のコネクタと、前記コネクタに挿入されると共に前記コネクタ及び前記基板を介して前記ＬＥＤ素子に接続されたケーブルとを備える照明装置。
【発明の詳細な説明】
【技術分野】
【０００１】
本発明は、基板のような接続対象物とケーブルとの間を接続するコネクタ及びそのコネクタを備える照明装置に関する。
【背景技術】
【０００２】
特許文献１には、この種のコネクタを備える照明装置が開示されている。図１３（Ａ）に示されるように、特許文献１のコネクタは、導電性の接続部材と、絶縁性のハウジングとを備えている。図１３（Ｂ）に示されるように、接続部材には、コネクタに挿入されたケーブルの導体部と接触する接触部と、導体部を接触部に押し付ける押圧バネ部とが設けられている。
【０００３】
特許文献１には、変形例として、ハウジングを省略してなるコネクタ、即ち、接続部材のみからなるコネクタも開示されている。なお、接続部材の形状自体は、変形例においても変更されていない。
【先行技術文献】
【特許文献】
【０００４】
【特許文献１】特開２０１２−７９４６２号公報
【発明の概要】
【発明が解決しようとする課題】
【０００５】
特許文献１に開示されたコネクタの変形例は、ハウジングを必要としない、即ち、部品点数が少ないことから、組立工数も減り、また材料コスト及び作業コストも抑えることができる。
【０００６】
しかし、特許文献１のコネクタの変形例は、ハウジングを有するものを前提としていることから、強度面で問題がある。
【０００７】
そこで、本発明は、ハウジングを備えていなかったとしても一定の強度を確保することのできるコネクタを提供することを目的とする。
【０００８】
また、本発明は、上述したコネクタを備える照明装置を提供することを目的とする。
【課題を解決するための手段】
【０００９】
本発明は、第１のコネクタとして、
前端に挿入口を有すると共にケーブルの導体部を前記挿入口から前後方向に沿って挿入されるコネクタであって、
前記コネクタは、前記前後方向と直交する横方向において両端を有する底部と、前記底部の前記両端から夫々延びる第１部位及び第２部位とを有しており、
前記第１部位と前記第２部位とはオーバーラップし且つ前記底部と共に前記挿入口を形成しており、
前記第１部位には第１係合部が形成されており、
前記第２部位には第２係合部が形成されており、
前記第１係合部と前記第２係合部とは、前記前後方向と直交する直交方向において対向しており、
前記横方向において前記第１部位と前記第２部位とを離すような力が前記第１部位と前記第２部位の少なくとも一方に加えられた際に、前記第１係合部と前記第２係合部とは、前記直交方向において互いに突き当たるように配置されている
コネクタを提供する。
【００１０】
また、本発明は、第２のコネクタとして、第１のコネクタであって、
前記第１部位と前記第２部位とは、上部においてオーバーラップしており、
前記直交方向は、前記横方向である
コネクタを提供する。
【００１１】
また、本発明は、第３のコネクタとして、第１又は第２のコネクタであって、
前記第１部位には、前記ケーブルの前記導体部と接触する接触部が形成されており、
前記第２部位には、前記導体部を前記接触部に対して押し付ける押圧バネ部が形成されている
コネクタを提供する。
【００１２】
また、本発明は、第４のコネクタとして、第３のコネクタであって、
前記接触部又は前記押圧バネには、前記押圧バネ部が前記導体部を前記接触部に対して押し付けた際に前記導体部と押圧接触する角部が設けられている
コネクタを提供する。
【００１３】
また、本発明は、第５のコネクタとして、第３又は第４のコネクタであって、
前記第１部位には、弾性変形可能な支持バネ部が形成されており、
前記接触部は、前記支持バネ部に支持されている
コネクタを提供する。
【００１４】
また、本発明は、第６のコネクタとして、第３乃至第５のいずれかのコネクタであって、
挿入された前記ケーブルの前記導体部の位置を前記横方向において規制する位置規制部を更に有しており、
前記接触部及び前記押圧バネ部は、前記前後方向において、前記位置規制部と前記挿入口との間に位置している
コネクタを提供する。
【００１５】
また、本発明は、第７のコネクタとして、第１乃至第６のいずれかのコネクタであって、
前記底部には、下側ガイド部が形成されており、
前記第１部位には、前記横方向において外側に開いた第１ガイド部と、上方に開いた上側ガイド部とが形成されており、
前記第２部位には、前記横方向において外側に開いた第２ガイド部が形成されており、
前記下側ガイド部、前記第１ガイド部、前記上側ガイド部及び前記第２ガイド部は、前記挿入口を構成している
コネクタを提供する。
【００１６】
また、本発明は、第８のコネクタとして、第７のコネクタであって、
前記第１係合部は、前記上側ガイド部の側縁のうち前記第１ガイド部に近い方の側縁で構成されており、
前記第２部位は、部分的に前記第１部位の上方に位置しており、
前記第２部位は、前記上側ガイド部の前記第１ガイド部側に突出した突出部を有しており、
前記第２係合部は、前記突出部の側縁のうち前記第２ガイド部に近い方の側縁で構成されている
コネクタを提供する。
【００１７】
また、本発明は、第９のコネクタとして、第７又は第８のコネクタであって、
前記下側ガイド部、前記第１ガイド部、前記上側ガイド部及び前記第２ガイド部は、前記前後方向において同位置に位置している
コネクタを提供する。
【００１８】
また、本発明は、第１０のコネクタとして、第１乃至第９のいずれかのコネクタであって、
前記第２部位には、前記前後方向及び前記横方向で規定される面と平行な平面からなる吸着面が設けられている
コネクタを提供する。
【００１９】
更に、本発明は、ＬＥＤ（light-emitting diode）素子と、前記ＬＥＤ素子を搭載した基板と、前記基板に接続固定された第１乃至第１０のいずれかのコネクタと、前記コネクタに挿入されると共に前記コネクタ及び前記基板を介して前記ＬＥＤ素子に接続されたケーブルとを備える照明装置を提供する。
【発明の効果】
【００２０】
例えば、挿入されたケーブルを煽られたために第２部位が横方向において第１部位から離れる方向へ押されたとしても、第１係合部と第２係合部とが突き当たって第２部位の移動を抑制することができる。このように、本発明によれば、コネクタの強度が確保されている。
【図面の簡単な説明】
【００２１】
【図１】本発明の実施の形態による照明装置を示す斜視図である。
【図２】図１の照明装置を示す他の斜視図である。図示された照明装置からはカバーが外されている。
【図３】図２の照明装置に含まれるコネクタを斜め前上方から見た斜視図である。
【図４】図３のコネクタを斜め前上方から見た他の斜視図である。
【図５】図３のコネクタを示す上面図である。
【図６】図３のコネクタを斜め後上方から見た斜視図である。
【図７】図３のコネクタを斜め後下方から見た斜視図である。
【図８】図３のコネクタを斜め後下方から見た他の斜視図である。
【図９】図４のコネクタを示す斜視断面図である。
【図１０】図３のコネクタへケーブルを挿入する過程を示す斜視図である。
【図１１】図３のコネクタへケーブルを挿入した状態を示す斜視図である。
【図１２】図１１の状態を示す斜視断面図である。
【図１３】（Ａ）は、特許文献１のコネクタを示す分解斜視図である。（Ｂ）は特許文献１のコネクタに含まれる接続部材を示す斜視断面図である。
【発明を実施するための形態】
【００２２】
図１及び図２を参照すると、本発明の実施の形態による照明装置１０は、放熱部材１２と、伝熱部材１４と、基板１６と、ＬＥＤ（light-emitting diode）素子２０と、カバー２２と、部品固定部材２４と、口金部２６と、２本のケーブル５０と、２つのコネクタ１００とを備えている。
【００２３】
放熱部材１２は、アルミニウムのような伝熱性に優れた金属からなるダイカスト品であり、筒状に構成されている。図示された放熱部材１２は、なめらかな外周面を有するものであるが、多数の放熱用のフィンを外周面に設けることとしてもよい。
【００２４】
図２に示されるように、伝熱部材１４は、アルミニウムのような伝熱性に優れた金属からなるものであり、略円板状に構成されている。伝熱部材１４は、放熱部材１２の上端近傍に固定されている。
【００２５】
基板１６は、略四角形状を有しており、伝熱部材１４の上面に複数のねじ１８により固定されている。この固定により、基板１６と伝熱部材１４との間で熱の受け渡しが可能となっている。図１０乃至図１２に示されるように、基板１６の上面には複数の導電パターン１７Ｆ，１７Ｒが形成されている。それらの導電パターン１７Ｆ，１７Ｒには、後で詳述するようにコネクタ１００が接続されている。
【００２６】
再び図２を参照すると、ＬＥＤ素子２０は、基板１６の上面の中央部に設けられている。ＬＥＤ素子２０は、複数の小さな素子を接続したものであってもよいし、単一の素子からなるものであってもよい。このＬＥＤ素子２０の２つの電極は、基板１６の導電パターン１７Ｆ，１７Ｒ（図１０乃至図１２参照）を介して、２つのコネクタ１００に接続されている。図示されたコネクタ１００は、互いに同一の構造を有している。コネクタ１００の構造については、後で図面を用いて詳述する。
【００２７】
図１に示されるように、カバー２２は、ドーム状の形状を有しており、基板１６やＬＥＤ素子２０の上方を覆うように設けられている。カバー２２は、例えば、ガラスや透明若しくは半透明の樹脂から作られる。
【００２８】
図１及び図２に示されるように、部品固定部材２４は、放熱部材１２の下側に位置している。詳しくは、部品固定部材２４の上部は、放熱部材１２の下部の内側に嵌合固定されている。部品固定部材２４の下部は、放熱部材１２の外部に露出している。口金部２６は、部品固定部材２４の露出した下部に取り付けられている。口金部２６とコネクタ１００とは、ケーブル５０と放熱部材１２の内側に設けられた部品（図示せず）とを介して接続されている。このため、口金部２６、ケーブル５０、コネクタ１００や基板１６の導電パターン１７Ｆ，１７Ｒ等を介して、ＬＥＤ素子２０に対して給電することができる。なお、ケーブル５０は、図１０及び図１２に示されるように、導体部５２と、その導体部５２を覆う絶縁体からなる外皮５４とを備えている。ケーブル５０とコネクタ１００との具体的な接続については、後述する。
【００２９】
図３乃至図９に示されるように、コネクタ１００は、前端（＋Ｘ側端部）に挿入口１０２を有しており、その後方（−Ｘ方向）には受容部１０４が形成されている。本実施の形態によるコネクタ１００は、一枚の金属板を打ち抜き、曲げ加工してなるものである。図１０乃至図１２から理解されるように、コネクタ１００は、ケーブル５０の導体部５２を挿入口１０２から前後方向（Ｘ方向）に沿って挿入され、それによってケーブル５０の導体部５２と受容部１０４内において電気的に接続されるものである。
【００３０】
詳しくは、コネクタ１００は、図３乃至図９に示されるように、底部１１０と、第１部位１２０と、第２部位１５０とを有している。
【００３１】
図７及び図８に示されるように、底部１１０は、前後方向（Ｘ方向）に長手を有し且つ横方向（Ｙ方向）に短手を有する細長い板状の形状を有している。底部１１０の前端（＋Ｘ側端部）には、導体部５２の挿入方向である前後方向（Ｘ方向）と斜交する面を有する下側ガイド部１１２が設けられており、更に、下側ガイド部１１２からは前側接続部１１４が後方（−Ｘ方向）に延びている。この前側接続部１１４は、底部１１０の下側（−Ｚ側）に位置している。このことから理解されるように、前側接続部１１４は、底部１１０の前方の部位を後方に折り返すようにして形成されたものであり、折り返された部位が下側ガイド部１１２として機能している。
【００３２】
前側接続部１１４は、底部１１０よりも横方向において外側に延びている。前側接続部１１４には、前方（＋Ｘ方向）に凹んだ凹部１１６が形成されている。この凹部１１６は、前側接続部１１４を導電パターン１７Ｆに半田付けする際に（図１２参照）、余分な半田材を逃がす役割を果たす。
【００３３】
底部１１０の後端（−Ｘ側端部）には、後側接続部１１８が設けられている。この後側接続部１１８は、底部１１０から横方向（Ｙ方向）の外側に夫々延びている。後側接続部１１８は、導電パターン１７Ｒに半田付けされる（図１２参照）。
【００３４】
図７及び図８から理解されるように、第１部位１２０と第２部位１５０とは、底部１１０の横方向（Ｙ方向）における両端から夫々延びている。第１部位１２０及び第２部位１５０は、双方とも上方（＋Ｚ方向）に延びた後、横方向（Ｙ方向）の内側に向かうように曲げられており、コネクタ１００の上部（＋Ｚ側の部位）を形成する位置においてオーバーラップしている。このオーバーラップにより、底部１１０、第１部位１２０及び第２部位１５０によって略角筒状の形状が形成されており、挿入口１０２及び受容部１０４が形成されている。
【００３５】
図３、図６及び図７に示されるように、第１部位１２０は、第１側部１３０と第１上部１４０とを有している。第１側部１３０は、底部１１０の右側端部（横方向における一端：＋Ｙ側端部）から上方（＋Ｚ方向）に延びている。図示された第１側部１３０は、主として横方向と直交する平板形状を有している。第１上部１４０は、第１側部１３０の上端（＋Ｚ方向端部）から横方向の内側に延びている。第１上部１４０は、主として上下方向（Ｚ方向）と直交する平板形状を有している。
【００３６】
図３、図６及び図７に示されるように、第１側部１３０の前端（＋Ｘ側端部）には、横方向（Ｙ方向）において外側（右側）に開いた第１ガイド部１３２が設けられている。この第１ガイド部１３２は、前後方向（Ｘ方向：導体部５２の挿入方向）と斜交する面を有している。第１側部１３０の後端（−Ｘ側端部）には、後方（−Ｘ方向）に延びると共に弾性変形可能な支持バネ部１３４が形成されている。図９に示されるように、支持バネ部１３４は、への字状の形状を有している。への字状形状の曲部は受容部１０４内に向かって突出しており、受容部１０４内に挿入された導体部５２と接触する接触部１３６として機能する。
【００３７】
更に、支持バネ部１３４の後方（−Ｘ側）には、第１位置規制部（位置規制部）１３８が設けられている。即ち、前後方向において、支持バネ部１３４は、第１位置規制部１３８と第１側部１３０との間に位置している。第１位置規制部１３８は、第１側部１３０と同様に、底部１１０の右側端部から上方に延びている。この第１位置規制部１３８は、受容部１０４内に挿入された導体部５２の先端の位置を規制するためのものである。本実施の形態において、第１位置規制部１３８の上端（＋Ｚ側端部）は、第１上部１４０と繋がっている。
【００３８】
図３、図４、図７及び図８から理解されるように、第１上部１４０は、前後方向（Ｘ方向）に長手を有し且つ横方向（Ｙ方向）に短手を有する細長い板状の形状を有している。前述したように、本実施の形態による第１上部１４０は、上述したように、第１側部１３０と第１位置規制部１３８とにより、底部１１０と連結されている。第１上部１４０の前端（＋Ｘ側端部）には、上方向（＋Ｚ方向）に開いた上側ガイド部１４２が設けられている。上側ガイド部１４２は、前後方向（Ｘ方向：導体部５２の挿入方向）と斜交する面を有している。上側ガイド部１４２の側縁のうち第１ガイド部１３２に近い方の側縁（右側縁：＋Ｙ側の側縁）は、第１係合部１４４として機能する。第１係合部１４４については、後で詳述する。
【００３９】
図４及び図８に示されるように、第２部位１５０は、第２側部１６０と第２上部１７０とを有している。第２側部１６０は、底部１１０の左側端部（横方向における他端：−Ｙ側端部）から上方（＋Ｚ方向）に延びている。図示された第２側部１６０は、主として横方向と直交する平板形状を有している。第２上部１７０は、第２側部１６０の上端（＋Ｚ方向端部）から横方向の内側に延びている。第２上部１７０は、主として上下方向（Ｚ方向）と直交する平板形状を有している。
【００４０】
図３及び図４に示されるように、第２側部１６０の前端（＋Ｘ側端部）には、横方向（Ｙ方向）において外側（左側）に開いた第２ガイド部１６２が設けられている。この第２ガイド部１６２は、前後方向（Ｘ方向：導体部５２の挿入方向）と斜交する面を有している。第２側部１６０の後端（−Ｘ側端部）には、後方（−Ｘ方向）に延びると共に弾性変形可能な押圧バネ部１６４が形成されている。この押圧バネ部１６４は、挿入されたケーブル５０の導体部５２を接触部１３６に対して押し付けるためのものである。
【００４１】
図３乃至図５から理解されるように、下側ガイド部１１２、第１ガイド部１３２、上側ガイド部１４２及び第２ガイド部１６２は、前後方向において最前位置に位置しており、コネクタ１００の挿入口１０２を形成している。これら下側ガイド部１１２、第１ガイド部１３２、上側ガイド部１４２及び第２ガイド部１６２の前後方向における位置は互いに同一である。これにより、図１１及び図１２から理解されるように、ケーブル５０の導体部５２を受容部１０４内に挿入した際に、ケーブル５０の外皮５４が下側ガイド部１１２、第１ガイド部１３２、上側ガイド部１４２及び第２ガイド部１６２に突き当たることとなる。そのため、外皮５４を剥かれた導体部５２のみが受容部１０４内に挿入されることが可能となっている。このように、下側ガイド部１１２、第１ガイド部１３２、上側ガイド部１４２及び第２ガイド部１６２が前後方向において同一位置に位置することにより、導体部５２の挿入深さの制御が容易になる。
【００４２】
特に、本実施の形態における前側接続部１１４は、下側ガイド部１１２において底部１１０の下側に折り返されていることから、ケーブル５０の導体部５２を受容部１０４内に挿入する際に、ケーブル５０の外皮５４が前側接続部１１４に乗り上げてしまってケーブル５０に好ましくない力が加わってしまうことを避けることができると共に、外皮５４が下側ガイド部１１２に突き当たるまでケーブル５０の導体部５２を受容部１０４内に押し込むことができる。
【００４３】
図９及び図１２に示されるように、押圧バネ部１６４の先端には、押圧バネ部１６４が導体部５２を接触部１３６に対して押し付ける際に導体部５２と押圧接触する角部（エッジ）１６６が設けられている。本実施の形態による角部１６６は、水平面（ＸＹ平面）内において直角を有しているが、鋭角を有するように構成されていてもよい。この角部１６６が導体部５２に対して押圧接触することにより、導体部５２を＋Ｘ方向に引き抜こうとしても角部１６６が導体部５２に引っ掛かることとなるため簡単に引き抜かれてしまうことを避けることができる。
【００４４】
更に、押圧バネ部１６４の後方（−Ｘ側）には、第２位置規制部（位置規制部）１６８が設けられている。即ち、前後方向において、押圧バネ部１６４は、第２位置規制部１６８と第２側部１６０との間に位置している。第２位置規制部１６８は、受容部１０４内に挿入された導体部５２の先端の位置を規制するためのものである。本実施の形態において、第２位置規制部１６８の上端（＋Ｚ側端部）は、第２上部１７０と繋がっている。
【００４５】
図１２から理解されるように、ケーブル５０が横方向に煽られると、ケーブル５０の導体部５２の先端も左右に振れてしまう可能性があるが、本実施の形態においては、導体部５２の先端の両脇に第１位置規制部１３８及び第２位置規制部１６８からなる位置規制部が設けられていることから、導体部５２がコネクタ１００の外部に飛び出てしまうことを防止することができる。
【００４６】
図３乃至図５に示されるように、第２上部１７０は、前後方向（Ｘ方向）に長手を有し且つ横方向（Ｙ方向）に短手を有するものであり、細長いが比較的大きな板状の形状を有している。前述したように、本実施の形態による第２上部１７０は、上述したように、第２側部１６０と第２位置規制部１６８とにより、底部１１０と連結されている。
【００４７】
図４に示されるように、本実施の形態による第２上部１７０は、第１上部１４０の上方に位置している。即ち、第１部位１２０と第２部位１５０とは上部においてオーバーラップしている。本実施の形態による第２上部１７０は、自動実装時においてバキュームにより吸着される吸着面として用いられる。
【００４８】
第２上部１７０の前端（＋Ｘ側端部）には、前方（＋Ｘ方向）に突出した突出部１７２が形成されている。この突出部１７２は、上側ガイド部１４２の第１ガイド部１３２側に位置している。即ち、突出部１７２は、上側ガイド部１４２の右側（＋Ｙ側）に位置している。突出部１７２の側縁のうち第２ガイド部１６２に近い方の側縁（左側側縁：−Ｙ側の側縁）は、第２係合部１７４として機能するものであり、図５に最も良く示されるように、横方向において第１係合部１４４と対向している。そのため、第１部位１２０と第２部位１５０とが横方向において互いに離れるような力を受けた場合には第１係合部１４４と第２係合部１７４とが横方向において互いに突き当たることとなり、コネクタ１００の変形が抑制されている。このように、本実施の形態によるコネクタ１００は、ハウジングを備えていなかったとしても、高い強度を有することができる。
【００４９】
押圧バネ部１６４は、ケーブル５０の導体部５２を接触部１３６に対して押し付けて確実に接触させなければならないことから、高いバネ性を有することが必要となる。これに対して、前述の支持バネ部１３４は、そのような必要はない。そのため、本実施の形態において、押圧バネ部１６４の長さは、支持バネ部１３４の長さよりも長く設定されている。また、角部１６６が導体部５２を接触部１３６に対して確実に押し付けることができるように、前後方向において、角部１６６と接触部１３６とは殆ど同じような位置に位置している。これらのことから、底部１１０と第２側部１６０との連結部分の長さは、底部１１０と第１側部１３０との連結部分の長さよりも短くなっている。このため、本実施の形態においては、特に、第２側部１６０側が第１側部１３０側よりも構造的に弱い。
【００５０】
しかしながら、本実施の形態においては、第１係合部１４４と第２係合部１７４とを横方向で対向させるように配置していることから、例えば、導体部５２を受容部１０４に挿入されたケーブル５０を煽って、第２側部１６０を左側（−Ｙ方向）に押圧したとしても、第２係合部１７４が第１係合部１４４に突き当たって力が比較的構造的に強い第１側部１３０側に分散されることとなり、コネクタ１００の変形が抑制される。
【００５１】
以上、本発明によるコネクタ及び照明装置について実施の形態を掲げて具体的に説明してきたが、本発明はこれらに限定されるものではなく、様々な応用・変形が可能である。
【００５２】
例えば、本実施の形態において第１係合部１４４と第２係合部１７４とは横方向（Ｙ方向）において対向していたが、本発明はこれに限定されるわけではない。第１係合部１４４と第２係合部１７４とは、前後方向（Ｘ方向：ケーブル５０の導体部５２の挿入方向）と直交する方向（直交方向）において対向していればよい。例えば、第１係合部１４４と第２係合部１７４とは、上下方向（Ｚ方向）において対向していてもよい。即ち、上下方向を直交方向としてもよい。具体的には、第２部位１５０が第２上部１７０の右端から下側に向かって延びる付加的な側部を有するように構成すると共に付加的な側部に対して突出部１７２に相当する部位を設け、更に、第１ガイド部１３２の上下方向（Ｚ方向）におけるサイズを半分として、その第１ガイド部１３２の下側に突出部１７２に相当する部位を位置させることにより、第１係合部と第２係合部とを上下方向において対向させることとしてもよい。この場合、第１部位と第２部位とは横方向（Ｙ方向）においてオーバーラップすることになる。
【００５３】
上述した実施の形態において、第１係合部１４４と第２係合部１７４とは前端を構成する上側ガイド部１４２の一部と突出部１７２の一部とで構成されていたが、本発明はこれに限定されるわけではない。例えば、第２上部１７０に開口を形成し、更に、第１上部１４０の一部を曲げ形成して第２上部１７０の開口内に挿入することとしてもよい。この場合、開口内の縁部とその開口内に挿入された第１上部１４０の側縁とが夫々第２係合部及び第１係合部となる。但し、本実施の形態のように、第１係合部１４４及び第２係合部１７４を上側ガイド部１４２及び突出部１７２の一部として夫々構成した方が、コネクタ１００の有する機能を減らすことなく構造を簡単にすることができる点で好ましい。
【００５４】
上述した実施の形態において、コネクタ１００は、略角筒状の外形を有していたが、本発明はこれに限定されるものではなく、例えば、略円筒や略楕円筒状の外形を有していてもよい。
【００５５】
上述した実施の形態において、角部１６６は、押圧バネ部１６４の先端に設けられていたが、本発明はこれに限定されるわけではない。例えば、接触部１３６を角部１６６のような形状に構成する一方、押圧バネ部１６４をへの字状に形成し、その押圧バネ部１６４で導体部５２を角部として機能する接触部１３６に対して押し付けることとしてもよい。
【００５６】
上述した実施の形態において、接触部１３６は、支持バネ部１３４に支持されていたが、本発明はこれに限定されるわけではない。例えば、前後方向において第１側部１３０の長さを長くし、その第１側部１３０に対して受容部１０４内に突出するようにダボを形成し、そのダボを接触部として用いてもよい。但し、本実施の形態のように、支持バネ部１３４により接触部１３６を支持する構成の方が、接触部１３６をより受容部１０４内に位置させることができることから導体部５２と接触部１３６の接触信頼性の点で好ましい。
【００５７】
また、上述した実施の形態においては、第１位置規制部１３８及び第２位置規制部１６８からなる位置規制部が設けられていたが、コネクタ１００に対する要求に応じて、位置規制部を省略することもできる。
【００５８】
更に、上述した実施の形態において、コネクタ１００を照明装置１０に用いていたが、コネクタ１００を他の装置に使用することとしてもよい。その場合であっても、本実施の形態によるコネクタ１００を用いれば、ケーブル５０の導体部５２をコネクタ１００に挿入するだけでコネクタ１００と導体部５２とを電気的に接続できる。
【符号の説明】
【００５９】
１０        照明装置
１２        放熱部材
１４        伝熱部材
１６        基板
１７Ｆ，１７Ｒ        導電パターン
１８        ねじ
２０        ＬＥＤ素子
２２        カバー
２４        部品固定部材
２６        口金部
５０        ケーブル
５２        導体部
５４        外皮
１００        コネクタ
１０２        挿入口
１０４        受容部
１１０        底部
１１２        下側ガイド部
１１４        前側接続部
１１６        凹部
１１８        後側接続部
１２０        第１部位
１３０        第１側部
１３２        第１ガイド部
１３４        支持バネ部
１３６        接触部
１３８        第１位置規制部（位置規制部）
１４０        第１上部
１４２        上側ガイド部
１４４        第１係合部
１５０        第２部位
１６０        第２側部
１６２        第２ガイド部
１６４        押圧バネ部
１６６        角部
１６８        第２位置規制部（位置規制部）
１７０        第２上部（吸着面）
１７２        突出部
１７４        第２係合部
【図１】
2014216080.tif 000003
【図２】
2014216080.tif 000004
【図３】
2014216080.tif 000005
【図４】
2014216080.tif 000006
【図５】
2014216080.tif 000007
【図６】
2014216080.tif 000008
【図７】
2014216080.tif 000009
【図８】
2014216080.tif 000010
【図９】
2014216080.tif 000011
【図１０】
2014216080.tif 000012
【図１１】
2014216080.tif 000013
【図１２】
2014216080.tif 000014
【図１３】
2014216080.tif 000015